(57)【要約】【課題】便器本体に溜水した際に、溜水の水位面に汚れが滞留して、付着しにくい構造とした洋風便器装置を提供する。【解決手段】便器本体２に溜水するボウル部３を備える洋風便器装置１において、ボウル部３の溜水４内で泡粒８を発生させるバブル発生装置１０を備えており、溜水４内で直接、泡粒８を発生させることで溜水４の水位面４１を変動させて、汚れが滞留して付着することがないようにしている。【選択図】図１
2007314957.tif 000002
【特許請求の範囲】
【請求項１】
便器本体に溜水するボウル部を備える洋風便器装置において、
上記ボウル部の溜水内で泡粒を発生させるバブル発生装置を備えていることを特徴とする洋風便器装置。
【請求項２】
請求項１において、
上記バブル発生装置は、発生したエアーを上記ボウル部の底面に設けたエアー吐出孔より放出することを特徴とする洋風便器装置。
【請求項３】
請求項１または２において、
上記便器本体は、上記ボウル部の溜水内に洗浄剤を注入させる洗浄剤注入装置を更に備えていることを特徴とする洋風便器装置。
【請求項４】
請求項２または３において、
上記バブル発生装置は、エアー供給管を通じて上記エアー吐出孔に接続されており、該エアー供給管の途中には、上記ボウル部の溜水の逆流を防止する逆止弁を介設していることを特徴とする洋風便器装置。
【発明の詳細な説明】
【技術分野】
【０００１】
本発明は、水洗式の洋風便器装置の改良に関する。
【背景技術】
【０００２】
従来より、水洗式の洋風便器装置で溜水内に泡粒を供給するものは、たとえば下記特許文献１に示すようなものが存在する。
また、本出願人は、特願２００５−２１６３８０号において、以下の構成の洋風便器装置を提案している。
図４に示すように、洋風便器装置１００は、便座１１０と便蓋１２０を有し、上面が開口したボウル部３００を備えた便器本体２００と、ボウル部３００に洗浄水を供給させる洗浄水供給装置６００と、微細泡粒を洗浄水に供給する微細泡粒発生装置７００とを有している。
【０００３】
便器本体２００は、上端面前部にボウル部３００に通じるリム部９００を形成しており、上端面の後部にはロータンク６０４や、使用者の局部を洗浄する温水洗浄装置などを載置可能にする載置面８００が形成されており、ボウル部３００の上方開口縁にはリム部９００が形成されており、ボウル部３００の排水部分にはトラップ装置５００が設けられ、トラップ装置５００を乗り越えない程度に溜水４００が貯留されている。
【０００４】
また、洗浄水供給装置６００は、水道水などの洗浄水を一旦ロータンク６０４内に溜め、その所定水量を洗浄水流路６０１を介して吐水部６０２からボウル部３００に放流させており、洗浄水は、ボウル部３００内に直接吐出されたり、リム部９００を介してボウル部３００の周囲からボウル部３００内に吐出されるようになっている。なお、６０３は、水道管からロータンク内への洗浄水を供給、停止するための洗浄水供給弁を示す。
【０００５】
一方の微細泡粒発生装置７００は、ロータンク６０４内へ供給する洗浄水に気体を混入させて気体混合洗浄水を得る気体混入部７０１と、気体混入部７０１から洗浄水が逆流することを防止する逆止弁７０２と、水道管からロータンク６０４内へ洗浄水を圧送するエアポンプ７０３と、ロータンク６０４と兼用して構成され、エアポンプ７０３で圧送された気体混合洗浄水の泡粒を高圧下で洗浄水に溶解させて気体溶解洗浄水を得る溶解タンク７０４と、気体溶解洗浄水内の気体を析出させて微細泡粒を発生させて微細泡粒含有洗浄水を得る析出部７０５とを備える。
【０００６】
このような便器装置では、ロータンク６０４内の洗浄水をボウル部３００に流し込めば、微細泡粒含有洗浄水としてボウル部３００に流れるので、大量の微細泡粒が便器表面へ衝突して破裂することにより、ボウル部３００内面の汚れを剥離させることができる。また、微細泡粒界面が有する吸着特性により汚れへ吸着して剥離させて浮上分離させたり、微細泡粒表面が負に帯電することによって汚染物質に静電吸着して微細泡粒で包むことができ、ボウル部３００の洗浄効果を発揮することができる。
【特許文献１】特開２００４−２７０１６３号公報
【発明の開示】
【発明が解決しようとする課題】
【０００７】
しかしながら、上記した従来の洋風便器装置では、予め微細泡粒発生装置によって得た洗浄水を、適宜、ボウル部内に流し込んで、溜水に微細泡粒を供給しているので、上記したように、気体混入部、逆止弁、エアポンプ、溶解タンク、析出部、ロータンクを便器本体に備える必要があり、構造が複雑となり、便器本体が大型化してしまい、トイレスペースを広く確保する必要があった。
【０００８】
また、このような洋風便器装置では、便器を使用していない間も、ボウル部に溜水しているので、溜水をそのまま放置しておけば、ボウル部の内面は、溜水の水位面に水垢や、排出されなかった汚物が滞留して汚れが付着してしまうが、そのための対策は何らされていなかった。
【０００９】
本発明は、このような事情を考慮して提案されるものであり、便器本体の溜水に泡粒を発生させる構成を簡易に実現して、ボウル部の洗浄効果を確保するとともに、溜水の水位面に汚れが付着することを防止できる洋風便器装置を提供することを目的とする。
【課題を解決するための手段】
【００１０】
上記目的を達成するために、本発明の請求項１では、ボウル部の溜水内で泡粒を発生させるバブル発生装置を備えていることを特徴とする。
【００１１】
請求項２では、バブル発生装置は、発生したエアーをボウル部の底面に設けたエア吐出孔より放出することを特徴とする。
【００１２】
請求項３では、便器本体は、ボウル部の溜水内に洗浄剤を注入させる洗浄剤注入装置を更に備えていることを特徴とする。
【００１３】
請求項４では、バブル発生装置は、エアー供給管を通じてエアー吐出孔に接続されており、該エアー供給管の途中には、ボウル部の溜水の逆流を防止する逆止弁を介設していることを特徴とする。
【発明の効果】
【００１４】
請求項１，２によれば、ボウル部の内部に泡粒を供給する泡供給装置を備えているので、洗浄水に泡粒を混入させることなく、溜水内で泡粒を直接発生させて溜水をかき乱すことで溜水面を変動させることで、ボウル部内面の溜水の水位面に汚物や水垢が滞って付着することを防止できる。
また、溜水で泡粒を発生させるため、新たに洗浄水を流し込む必要がなく、水道代を節約することができる。更に、溜水で発生している泡粒があるので、排泄時に、溜水がはねかえってくることを防止できる。
【００１５】
請求項３によれば、便器本体には、ボウル部の溜水内に洗浄剤を注入させる洗浄剤注入装置を備えるので、泡粒によりかき乱されて運動を続ける溜水によって洗浄剤の泡沫が形成でき、より洗浄効果を発揮できる。
請求項４では、エアー供給孔に接続されるエアー供給管の途中には、逆止弁を介設しているので、エアー供給孔から、ボウル内の溜水が逆流することを防止することができる。
【発明を実施するための最良の形態】
【００１６】
以下に、本発明の実施の形態について説明する。
【００１７】
図１は、本発明の洋風便器装置の外観例を示す斜視図である。図２は、このような洋風便器装置の縦断面構造を示す図である。
このような構造の本発明の洋風便器装置１は、上面が開口したボウル部３を備えたスカート式の便器本体２にはリム部９が形成され、リム部９の上に便座１１を下ろして使用者が着座するようになっている。なお、１２は便蓋を示している。
便器本体２の上端面の前部にはボウル部３が開口し、図２に示したトラップ装置５を越えない水量の溜水４が溜められるようになっている。なお、４１は溜水４の水位面である。
【００１８】
便器本体２には、図示しない洗浄水供給装置が備えられており、ボウル部３内に洗浄水を流し込むことにより、ボウル部３の内面に排泄物などを付着し難くできる。
ボウル部３の底部には、エアーを放出するエアー吐出孔１５が形成されており、ここから溜水４内にエアーを供給して泡粒８を発生させる。
また、ボウル部３の内側面には、溜水４に洗浄剤を混入するための洗浄剤混入孔１７を形成している。
【００１９】
便器本体２の内部には、溜水４に泡粒８を発生させ、溜水４をかき乱すためのバブル発生装置１０を備えている。このバブル発生装置１０は、ここでは、エアー送気装置１０で構成されており、ここからエアー供給管１３が導出されており、その先端にエアー吐出孔１５を設けており、エアー供給管１３には溜水４が逆流することを防止する逆止弁１１を介設している。
エアー送気装置１０は、エアフィルター１８、吸気管１４を通じて吸気し、エアー供給管１３を通じてエアー吐出孔１５より加圧したエアーを、ボウル部３の溜水４内に放出する。
【００２０】
また、便器本体２の内部には、例えば界面活性剤で構成した洗浄剤が予め充填されて、洗浄剤注入管１９を通じて洗浄剤注入孔１７より注入する洗浄剤注入装置１６を備えている。
【００２１】
このような構成によれば、エアー送気装置１０を作動させて、エア吐出孔１５よりエアーを溜水４内に放出させれば、溜水４内で泡粒８が発生し、溜水４をかき乱して溜水の水位面４１を変動させることができるので、ボウル部３溜水４の水位面４１に汚物や水垢が滞って付着するのを防止できる。
また、同時に洗浄剤注入装置１６から洗浄剤を溜水４内に注入させると、溜水４は泡粒８によってかき乱されながら、その内部で洗浄剤の泡沫を形成するので、より洗浄効果をアップできる。
【００２２】
更に、溜水４で発生した泡粒８は、比重の相違により溜水４の水位面に浮き上がるので、水位面４１に汚物や水垢を付着しがたく出来、付着している場合には、それらを除去する効果もある。
【００２３】
エアー供給、洗浄剤注入は、使用前、使用後など、使用者が図示しないスイッチの操作により手動で行う他、定期的に自動で行うなどの自動制御にすれば、利便にできる。センサ手段を付加接続して、使用者の入室時、退出時などに行ってもよい。
【００２４】
図３は、本発明の洋風便器装置の他例を示す縦断面構造図である。
図１，２に示した洋風便器装置１では、サイホン式のトラップ装置５を用いているが、この洋風便器装置１Ａは、スカート部を設けておらず、便器本体２の内部にボウル部３を設け、ターントラップ式のトラップ装置５Ａを備えている。このような洋風便器装置１Ａでは、トラップ装置５Ａは、蛇腹構造により屈曲柔軟性を有するトラップホース５１と、トラップホース５１の先端に取り付けられる終端部材５２とを備えており、終端部材５２には、図示しないモータの駆動により回転される回転軸部５４の回転を伝えるアーム部材５３を連結している。
【００２５】
このようなターントラップ式のトラップ装置５Ａを用いた洋風便器装置１Ａでは、ボウル部３内に溜水しているときには、トラップホース５１は、上向きになっているが、排水時に、図示しない電磁弁を開くと、洗浄水を、洗浄水流路６１、吐水部６２を通じて、ボウル部３の内面に流す。
これと同時に、トラップ装置５Ａは、モータの駆動により回転軸部５４が矢印方向に回転するので、回転軸部５４の回転がアーム部材５３に伝達されて、回転軸部５４を中心に矢印方向に回転する。すると、アーム部材５３に取り付けた終端部材５２がトラップホース５１を下向き位置に向けるので、ボウル部３に溜まった溜水４は、トラップホース５１を収容した空間５５を通じて、これに連通された不図示の排水路に排出され、溜水４の排出後は、アーム部材５３を逆方向に回転させてトラップホース５１を元の上向き位置に復帰させた状態で再び、ボウル部３内に溜水するようにしている。
なお、バブル発生装置、その関連部品については、図1、図２の場合と同じ符号を付して説明を省略する。
【図面の簡単な説明】
【００２６】
【図１】本発明の洋風便器装置の外観例を示す斜視図
【図２】洋風便器装置の縦断面構造を示す図
【図３】本発明の洋風便器装置の他例の縦断面構造図
【図４】従来の洋風便器装置の構成を示す縦断面図
【符号の説明】
【００２７】
１，１Ａ  洋風便器装置
２  便器本体
３  ボウル部
４  溜水
４１  その水位面
１０  バブル発生装置（エアー送気装置）
１１  逆止弁
１３  エアー供給管
１５  エアー吐出孔
１６  洗浄剤注入装置
【図１】
2007314957.tif 000003
【図２】
2007314957.tif 000004
【図３】
2007314957.tif 000005
【図４】
2007314957.tif 000006